(57)【特許請求の範囲】
【請求項１】
電源から負荷に至る給電路に介装接続された検出用抵抗と、
前記検出用抵抗での正常時の電圧降下に対する電圧降下の減少に応じて前記給電路の断線を検出する第１の検出部と、
前記検出用抵抗での正常時の電圧降下に対する電圧降下の増加に応じて前記検出用抵抗のオープン破壊を検出する第２の検出部と、
警告灯と、
前記第１の検出部より断線が検出された場合に前記警告灯を所定の点灯動作で点灯制御する制御部と、
前記第２の検出部によりオープン破壊が検出された場合に前記警告灯を他の所定の点灯動作で点灯制御する他の制御部と、
前記電源から前記負荷に供給される負荷電流の供給をオンオフするスイッチと、
前記電源から他の負荷に至る他の給電路に介装接続された他の検出用抵抗と、
前記他の検出用抵抗での正常時の電圧降下に対する電圧降下の減少に応じて前記他の給電路の断線を検出する第３の検出部と、
前記他の検出用抵抗での正常時の電圧降下に対する電圧降下の増加に応じて前記他の検出用抵抗のオープン破壊を検出する第４の検出部と、
前記電源から前記他の負荷に供給される負荷電流の供給をオンオフする他のスイッチと、
を備え、
前記制御部は、前記第１の検出部により前記給電路の断線が検出された場合に前記警告灯を前記所定の点灯動作で点灯制御すると共に、前記第４の検出部により前記他の検出用抵抗のオープン破壊が検出された場合に前記警告灯を前記所定の点灯動作で点灯制御し、
前記他の制御部は、前記第２の検出部によりオープン破壊が検出された場合に前記警告灯を前記他の所定の点灯動作で点灯制御すると共に、前記第３の検出部により前記他の給電路の断線が検出された場合に前記警告灯を前記他の所定の点灯動作で点灯制御することを特徴とする断線検出装置。
【発明の詳細な説明】
【０００１】
【発明の属する技術分野】
本発明は、電源と負荷（ストップランプ、ハイマウントストップランプ、テールランプ等）との間に接続され、負荷と電源との間の給電路に介装接続された検出用抵抗での電圧降下を検出することで負荷の断線検出を行う断線検出装置に関する。
【０００２】
【従来の技術】
図５は、従来の断線検出装置の構成概略図であり、図６は、図５の断線検出装置の要部の回路図である。
【０００３】
従来の断線検出装置１００は、図５及び図６に示す如く、例えば電源４とヒューズＨとスイッチＳＷと負荷Ｆとが直列接続されて成る供給路２の例えばスイッチＳＷと負荷Ｆとの間に介装されて接続される。以下、負荷Ｆが例えばランプである場合で説明する。
【０００４】
この断線検出装置１００は、電源４側からのワイヤーハーネス等の配線及び負荷Ｆ側からのワイヤーハーネス等の配線がそれぞれ接続される一対の端子Ｐ１，Ｐ２と、両端子Ｐ１，Ｐ２の間に介装接続した検出用抵抗Ｒ１と、検出用抵抗Ｒ１での正常時の電圧降下に対する電圧降下の減少に応じて給電路２の断線検出を行う検出部（第１の検出部）Ａと、検出部Ａの検出結果に対して断線か否かの判定を行う判定部３と、給電路２の断線を報知するための警告灯５と、警告灯５を駆動する駆動部７と、判定部３の判定結果に基づいて駆動部７を制御する制御部９とを備えて主構成される。
【０００５】
検出部Ａは、図６に示す如く、抵抗Ｒ２，Ｒ３、トランジスタ（例えばＰＮＰ形）Ｑ１，Ｑ２、コンデンサＣ１により構成され、検出用抵抗Ｒ１の上流側端部から分岐して順に抵抗Ｒ２、トランジスタＱ１のエミッタ・コレクタ間、抵抗Ｒ３が直列接続されてダイオード（順方向接続）Ｄ１を介してアースされると共に検出用抵抗Ｒ１の下流側端部から分岐してトランジスタＱ２のエミッタ・コレクタ間が、後述の判定部３を介してダイオードＤ１のアノードに共通接続される。また、トランジスタＱ１のベースが、トランジスタＱ１のコレクタに接続されると共にトランジスタＱ２のベースに共通接続される。そして、検出用抵抗Ｒ１の下流側端部と抵抗２の下流側端部との間にノイズ除去用のコンデンサＣ１が介装接続される。
【０００６】
この検出部Ａは、検出用抵抗Ｒ１と共にカレントミラー回路を構成し、後述するように、検出用抵抗Ｒ１の下流側端部の電位（即ちトランジスタＱ２のエミッタ電位）の変化に応じてトランジスタＱ２をオンオフし、トランジスタＱ２のオン状態により断線検出状態となり、その状態の間、断線を検出した旨の検出結果として電源４からの電流をトランジスタＱ２を介して判定部３に送出する。
【０００７】
判定部３は、図６に示す如く、トランジスタ（例えばＮＰＮ形）Ｑ３のベースが抵抗Ｒ４を介して上記のトランジスタＱ２のコレクタに接続され、トランジスタＱ３のエミッタが、抵抗Ｒ５を介してトランジスタＱ３のベースに分岐接続されると共に上記のダイオードＤ１のアノードに分岐接続され、トランジスタＱ３のコレクタが分圧用の抵抗Ｒ６，Ｒ７を介して端子Ｐ１に接続され、抵抗Ｒ５に並列にノイズ除去用のコンデンサＣ２が接続される。そして、トランジスタ（例えばＰＮＰ形）Ｑ４のベースが抵抗Ｒ６，Ｒ７間のノードに接続され、トランジスタＱ４のエミッタが端子Ｐ１に接続され、トランジスタＱ４のコレクタが制御部９に接続されて構成される。
【０００８】
この判定部３は、後述するように、検出部ＡのトランジスタＱ２からの検出結果としての上記電流によりトランジスタＱ３をオンオフし、トランスジスタＱ３のオン状態により断線と判定した状態となり、その状態の間、断線と判定した旨の判定結果として電源４からの電流をトランジスタＱ４を介して制御部９に送出する。
【０００９】
制御部９は、判定部３からの断線と判定した旨の判定結果としての上記電流を入力すると、駆動部７を介して警告灯５を点灯駆動させる。
【００１０】
次に、この断線検出装置１００の動作を説明する。以下、スイッチＳＷはオン状態とする。電源４からの負荷電流がヒューズＨ、スイッチＳＷ、検出用抵抗Ｒ１、負荷Ｆを介してアースされる正常時では、その負荷電流による検出用抵抗Ｒ１での電圧降下によりトランジスタＱ２のエミッタ電位が閾値未満に落とされて、トランジスタＱ２のエミッタ・ベース間電圧がオン電圧未満にされ、トランジスタＱ２がオフにされる。この場合、トランジスタＱ３，Ｑ４は共にオフに保たれ、判定部３から制御部９に断線と判定した旨の判定結果としての電流が送出されない為、制御部９が作動せず、警告灯５が点灯されない。
【００１１】
そして、供給路２に断線（例えば端子Ｐ２の下流側の配線での断線）が生じた場合（通常の給電線２の断線）、検出用抵抗Ｒ１に負荷電流が流れない為に検出用抵抗Ｒ１での電圧降下が無くなる（即ち正常時での電圧降下に対し電圧降下が減少する）。この場合、トランジスタＱ２のエミッタ電位が電源電位に上げられて、トランジスタＱ２のエミッタ・ベース間電圧がオン電圧以上にされ、トランジスタＱ２がオン（断線検出）される。これにより、電源４からの電流が（断線検出の検出結果として）検出用抵抗Ｒ１、トランジスタＱ２、抵抗Ｒ４，Ｒ５、ダイオードＤ１を介してアースに流れる。そして、その電流による抵抗Ｒ５での電圧降下によりトランジスタＱ３のベース・エミッタ間電圧が増加してトランジスタＱ３がオン（断線と判定）し、抵抗Ｒ７，Ｒ６に通流が開放されてその分圧抵抗によりトランジスタＱ４のベース・エミッタ間電圧が増加してトランジスタＱ４がオンされ、そのトランジスタＱ４を介して電源４からの電流が（断線と判定した旨の判定結果として）制御部９に送出される。そして、その電流を受けた制御部９により駆動部７を介して警告灯５が点灯駆動される。
【００１２】
【発明が解決しようとする課題】
上記の断線検出装置１００では、断線検出の精度及び誤動作防止の観点から、検出用抵抗Ｒ１の値を大きくし、検出用抵抗Ｒ１での電圧降下を大きくする必要がある。また、装置１００の小型化及びコスト削減の観点から、検出用抵抗Ｒ１の許容損失を小さくする必要がある。
【００１３】
ところが、これら２つの条件を両立させた場合、検出用抵抗Ｒ１でオープン破壊（検出用抵抗Ｒ１で電気的に不通となる破壊）が生じる場合がある。
【００１４】
つまり、例えば供給路２が給電路上の点Ｇ（図６）で周囲部材と短絡した場合、電源４からヒューズＨ、スイッチＳＷ、検出用抵抗Ｒ１、短絡点Ｇを介してアースされる短絡電流は、負荷Ｆを流れない為、短絡の無い場合に流れる負荷電流と比べると大きくなる。この場合、検出用抵抗Ｒ１の抵抗値が上記理由により大きく設定されていると、短絡電流は抑制されてそれほど大きくは成らない。このような短絡電流が供給路２に流れた場合、ヒューズＨの溶断に時間がかかる為に検出用抵抗Ｒ１に長時間にわたり短絡電流が流れ、しかも、検出用抵抗Ｒ１の抵抗値が大きく設定されている為に検出用抵抗Ｒ１で多量の発熱が生じることになる。その一方で上記の理由により、検出用抵抗Ｒ１の許容損失が小さく設定されていると、その発熱の量が検出用抵抗Ｒ１の許容損失を超えてしまい、検出用抵抗Ｒ１でオープン破壊が生じるのある。
【００１５】
しかしながら、検出用抵抗Ｒ１がオープン破壊した状態では、検出用抵抗Ｒ１の下流端がアース電位となってトランジスタＱ２のエミッタ電位が閾値未満に保たれてトランジスタＱ２がオフに保たれる為、そのオープン破壊が検出部Ａにより検出されない。従って、上記の断線検出装置１００では、検出用抵抗Ｒ１でオープン破壊が生じてもそのオープン破壊が検出できないという欠点がある。
【００１６】
そこで、この発明の課題は、供給路の断線検出のみならず、その検出用抵抗でのオープン破壊も検出できる断線検出装置を提供することにある。
【００１７】
【課題を解決するための手段】
上記課題を解決するためには、請求項１に記載の発明は、電源から負荷に至る給電路に介装接続された検出用抵抗と、前記検出用抵抗での正常時の電圧降下に対する電圧降下の減少に応じて前記給電路の断線を検出する第１の検出部と、前記検出用抵抗での正常時の電圧降下に対する電圧降下の増加に応じて前記検出用抵抗のオープン破壊を検出する第２の検出部と、警告灯と、前記第１の検出部より断線が検出された場合に前記警告灯を所定の点灯動作で点灯制御する制御部と、前記第２の検出部によりオープン破壊が検出された場合に前記警告灯を他の所定の点灯動作で点灯制御する他の制御部と、前記電源から前記負荷に供給される負荷電流の供給をオンオフするスイッチと、前記電源から他の負荷に至る他の給電路に介装接続された他の検出用抵抗と、前記他の検出用抵抗での正常時の電圧降下に対する電圧降下の減少に応じて前記他の給電路の断線を検出する第３の検出部と、前記他の検出用抵抗での正常時の電圧降下に対する電圧降下の増加に応じて前記他の検出用抵抗のオープン破壊を検出する第４の検出部と、前記電源から前記他の負荷に供給される負荷電流の供給をオンオフする他のスイッチと、を備え、前記制御部は、前記第１の検出部により前記給電路の断線が検出された場合に前記警告灯を前記所定の点灯動作で点灯制御すると共に、前記第４の検出部により前記他の検出用抵抗のオープン破壊が検出された場合に前記警告灯を前記所定の点灯動作で点灯制御し、前記他の制御部は、前記第２の検出部によりオープン破壊が検出された場合に前記警告灯を前記他の所定の点灯動作で点灯制御すると共に、前記第３の検出部により前記他の給電路の断線が検出された場合に前記警告灯を前記他の所定の点灯動作で点灯制御するものである。
【００２１】
【発明の実施の形態】
＜第１の実施の形態＞
図１は、本発明の第１の実施の形態に係る断線検出装置の構成概略図であり、図２は、図１に示した断線検出装置の要部の回路図である。
【００２２】
この実施の形態に係る断線検出装置１Ａは、図１及び図２に示す如く、従来装置１００に対して、更に、検出用抵抗Ｒ１での正常時の電圧降下に対する電圧降下の増加に応じて検出用抵抗Ｒ１のオープン破壊を検出する検出部Ｂ（第２の検出部）が付加されると共に、その検出部Ｂの検出結果が判定部３に送られて判定部３により給電路３の断線検出のみならず検出抵抗Ｒ１のオープン破壊が生じたか否かの判定も行われるように構成される。以下、従来装置１００と同一部分については同一符号を付して説明を省略し、検出部Ｂを中心に説明する。
【００２３】
検出部Ｂは、図２に示す如く、トランジスタ（例えばはＰＮＰ形）Ｑ５のエミッタがダイオード（順方向接続）Ｄ２を介して検出用抵抗Ｒ１の上流側端部に接続され、トランジスタＱ５のベースが抵抗Ｒ８を介して検出用抵抗Ｒ１の下流側端部に接続され、トランジスタＱ５のコレクタが判定部３の例えば抵抗Ｒ４の上流側に接続されて構成される。この検出部Ｂは、後述するように、検出用抵抗Ｒ１の両端の電位差に応じてトランジスタＱ５をオンオフし、トランジスタＱ５のオン状態により検出用抵抗Ｒ１のオープン破壊の検出状態となり、その状態の間、オープン破壊を検出した旨の検出結果として電源４からの電流をトランジスタＱ５を介して判定部３に送出する。
【００２４】
なお、検出用抵抗Ｒ１及び抵抗Ｒ２，Ｒ３の各抵抗値は、正常時における検出用抵抗Ｒ１での電圧降下により両トランジスタＱ２，Ｑ５がオンしないように設定される。具体的には、例えば、検出用抵抗Ｒ１の抵抗値は、電源４を１２Ｖとし、負荷Ｆが２１Ｗ／１２Ｖのストップランプの場合は０．１Ωに設定され、負荷Ｆが２１Ｗ／１２Ｖのテールランプの場合は０．３Ωに設定される。その際の各抵抗Ｒ２，Ｒ３の抵抗値は、検出用抵抗Ｒ１の抵抗値に応じて適宜に設定される。
【００２５】
次に、この断線検出装置の動作を説明する。以下、スイッチＳＷはオン状態とする。電源４からの負荷電流がヒューズＨ、スイッチＳＷ、検出用抵抗Ｒ１、負荷Ｆを介してアースされる正常時では、従来装置１００と同様に、その負荷電流による検出用抵抗Ｒ１での電圧降下によりトランジスタＱ２はオンされずにオフに保たれる。この場合、従来と同様の動作でトランジスタＱ３，Ｑ４が共にオフに保たれ、判定部３から制御部９に断線と判定した旨の判定結果としての電流が送出されない為、制御部９が作動せず、警告灯５が点灯されない。
【００２６】
そして、供給路２に断線（通常の給電路２の断線）が生じた場合、検出用抵抗Ｒ１では電圧降下が生じない為、トランジスタＱ５のベース電位がほぼ電源電位に保たれてトランジスタＱ５はオフに保たれるが、トランジスタＱ２は従来例と同様の動作によりオンされる為、従来と同様にして警告灯５が点灯駆動される。
【００２７】
一方、検出用抵抗Ｒ１でオープン破壊が生じた場合は、検出用抵抗Ｒ１で電気的に開放状態（非導通状態）となり、検出用抵抗Ｒ１の上流側端部が電源電位に保たれて検出用抵抗Ｒ１の下流側端部がアース電位となる為、検出用抵抗Ｒ１での電圧降下がほぼ電源電圧相当分に保たれる（即ち正常時の電圧降下に対し電圧降下が増加する）。この状態では、トランジスタＱ２は、そのエミッタがアース電位に落とされる為にオフされが、トランジスタＱ５は、検出用抵抗Ｒ１での電圧降下が電源電圧相当分（オン電圧以上）である為にオンされて、電源４からの電流がダイオードＤ２、トランジスタＱ５、抵抗Ｒ４，Ｒ５、ダイオードＤ１を介してアースに流れる。そして、その電流による抵抗Ｒ５での電圧降下により通常の給電路の断線の場合と同様、トランジスタＱ３，Ｑ４がオンされ、そのトランジスタＱ４を介して電源４からの電流が制御部９に送出される。そして、その電流を受けた制御部９により駆動部７を介して警告灯５が通常の給電路の断線が検出された場合と同様に点灯駆動される。
【００２８】
以上のように構成された断線検出装置１Ａによれば、検出用抵抗Ｒ１の両端の電位差に応じて断線検出を行う検出部Ｂを備えるため、検出用抵抗Ｒ１でオープン破壊が生じても、そのオープン破壊を適切に検出することができ、これにより運転者にオープン破壊の警告ができる。
【００２９】
更に、検出部Ｂは、一個のランジスタＱ５と一個の抵抗Ｒ８と一個のダイオードＤ２により構成されるため、容易に構成できる。
【００３０】
＜第２の実施の形態＞
図３は、本発明の第２の実施の形態に係る断線検出装置の構成概略図であり、図４は、図３の断線検出装置の要部の回路図である。
【００３１】
上記第１の実施の形態では、通常の給電路の断線を検出した場合も検出用抵抗Ｒ１のオープン破壊を検出した場合も同じ点灯動作により警告灯５を点灯させた。この実施の形態では、通常の給電路の断線を検出した場合と検出用抵抗のオープン破壊を検出した場合とで、異なる点灯動作により負荷Ｆを点灯させるようにした断線検出装置について説明する。
【００３２】
この断線検出装置１Ｂは、図３及び図４に示す如く、第１の実施の形態における断線検出装置１Ａに対して、更に、他の供給路１１に介装接続するための他の一対の端子Ｐ３，Ｐ４と、両端子Ｐ３，Ｐ４の間に介装接続した他の検出用抵抗Ｒ１’と、他の検出用抵抗Ｒ１’での正常時の電圧降下に対する電圧降下の減少に応じて他の給電線２の断線検出を行う検出部（第３の検出部）Ｃと、他の検出用抵抗Ｒ１’での正常時の電圧降下に対する電圧降下の増加に応じて他の検出用抵抗Ｒ１’のオープン破壊を検出する検出部（第４の検出部）Ｄと、検出部Ｃの検出結果に基づいて断線が生じたかを判定する他の判定部１３と、他の判定部１３の判定結果に基づいて駆動部７を制御する他の制御部１５とを備えて主構成される。
【００３３】
なお、この断線検出装置１Ｂでは、一方の端子Ｐ１，Ｐ２間が、電源４とヒューズＨ１とブレーキスイッチＳＷ１とストップランプ（負荷）Ｆ１とが直列接続されて成る供給路２の例えばブレーキスイッチＳＷ１とストップランプＦ１との間に介装接続され、他方の端子Ｐ３，Ｐ４間が、電源４とヒューズＨ２とテールスイッチＳＷ２とテールランプ（負荷）Ｆ２とが直列接続されて成る他の供給路１１の例えばテールスイッチＳＷ２とテールランプＦ２との間に介装接続される。
【００３４】
また、この断線検出装置１Ｂでは、図３に示す如く、検出部Ｂの検出結果が、判定部３に送られずに他の判定部１３に送られて他の判定部１３により検出用抵抗Ｒ１でオープン破壊が生じたか否かが判定され、反対に、検出部Ｄの検出結果が、他の判定部１３に送られずに判定部３に送られて判定部３により他の検出用抵抗Ｒ１’でオープン破壊が生じたか否かが判定されるように構成される。
【００３５】
他の検出用抵抗Ｒ１’、検出部Ｃ，Ｄ及び他の判定部１３は、図４に示す如く、第１の実施の形態における検出部Ａ，Ｂ及び判定部３と同様の回路に構成される。但し、上記と対応して、検出部ＢのトランジスタＱ５のコレクタが、判定部３のトランジスタＱ３のベースに接続されずに他の判定部１３のトランジスタＱ３’のベースに接続され、反対に、検出部ＤのトランジスタＱ５’のコレクタが、他の判定部１３のトランジスタＱ３’のベースに接続されずに判定部３のトランジスタＱ３のベースに接続されて構成される。なお、図４において、検出部Ｃ，Ｄ及び他の判定部１３の各構成要素の符号は、それぞれ検出部Ａ，Ｂ及び判定部３における対応する構成要素の符号に「’」を付したものとなっている。
【００３６】
制御部９は、イグニションスイッチＩＧがオンされた状態で、判定部３からの判定結果としての電流を入力すると、この入力時点からイグニションスイッチＩＧがオフされるまで、駆動部７を介して警告灯５を点灯させるように設定される。この場合、当該スイッチＳＷ１，ＳＷ２がオフされて判定結果としての上記電流（電源電流）が停止されも警告灯５は制御部９により消灯制御されない。
【００３７】
他の制御部１５は、イグニションスイッチＩＧがオンされた状態で、他の判定部１３からの判定結果としての電流（電源電流）を入力すると、その入力の間だけ駆動部７を介して警告灯５を点灯させるように設定される。この場合、当該スイッチＳＷ１，ＳＷ２がオフされて判定結果としての上記電流が停止されると、警告灯５は他の制御部１５により消灯制御される。
【００３８】
次に、この断線検出装置１Ｂの動作を説明する。以下、イグニションスイッチＩＧはオン状態とする。供給路２に断線（通常の給電路２の断線）が有る場合は、ブレーキスイッチＳＷ１をオンしても、検出用抵抗Ｒ１で電圧降下が起こらない為にトランジスタＱ５がオフに保たれた状態でトランジスタＱ２がオン（給電路２の断線の検出）され、電源４からの電流が検出用抵抗Ｒ１、トランジスタＱ２、抵抗Ｒ４，Ｒ５、ダイオードＤ１を介してアースに流れる。そして、その電流による抵抗Ｒ５での電圧降下によりトランジスタＱ３がオン（即ち判定部３による給電路２の断線判定）して、トランジスタＱ４がオンされ、そのトランジスタＱ４を介して電源４からの電流が（給電路２の断線と判定した旨の判定結果として）制御部９に送出される。そして、その電流を受けた制御部９により駆動部７が制御され、イグニションスイッチＩＧがオフ操作されるまで警告灯５が点灯駆動される。この場合、ブレーキスイッチＳＷ１をオフしても警告灯５は消灯されない。
【００３９】
検出用抵抗Ｒ１にオープン破壊が有る場合は、ブレーキスイッチＳＷ１をオンすると、検出用抵抗Ｒ１の上流端が電源電位にされ検出用抵抗Ｒ１の下流端がアース電位に保たれて検出用抵抗Ｒ１の両端の電位差が電源電圧相当分にされる為に、トランジスタＱ２がオフに保たれた状態でトランジスタＱ５がオン（検出用抵抗Ｒ１のオープン破壊の検出）され、電源４からの電流がダイオードＤ２、トランジスタＱ５、抵抗Ｒ５’、ダイオードＤ１を介してアースに流れる。そして、その電流による抵抗Ｒ５’での電圧降下によりトランジスタＱ３’がオン（即ち他の判定部１３によるオープン破壊の判定）して、トランジスタＱ４’がオンされ、そのトランジスタＱ４’を介して電源４からの電流が（オープン破壊と判定した旨の判定結果として）他の制御部１５に送出される。そして、その電流を入力した他の制御部１５により駆動部７が制御され、その電流の入力の間だけ（即ちブレーキスイッチＳＷ１がオンされる間だけ）警告灯５が点灯駆動される。この場合、ブレーキスイッチＳＷ１をオフすると警告灯５が消灯される。
【００４０】
同様に、他の供給路１１に断線（端子Ｐ４の下流側の配線での断線）が有る場合（通常の給電路１１の断線）は、テールスイッチＳＷ２をオンすると、その給電路１１の断線が検出部Ｃにより検出されて他の判定部１３により判定され、他の制御部１５によりテールスイッチＳＷ２がオンされている間だけ警告灯５が点灯される。また、他の検出用抵抗Ｒ１’にオープン破壊が有る場合は、ストップスイッチＳＷ２をオンすると、そのオープン破壊が検出部Ｄにより検出されて判定部３により判定され、制御部９により、イグニションスイッチＩＧがオフ操作されるまで警告灯５が点灯され、ストップスイッチＳＷ２をオフしても消灯されない。
【００４１】
以上のように構成された断線検出装置１Ｂによれば、検出部Ａ（Ｃ）より通常の給電路２（１１）の断線が検出された場合は、警告灯５が制御部９（１５）により所定の点灯動作で点灯制御され、検出部Ｂ（Ｄ）により検出用抵抗Ｒ１（Ｒ１’）のオープン破壊が検出された場合は、警告灯５が制御部１５（９）により他の所定の点灯動作で点灯制御されるため、給電路２（１１）の断線か検出用抵抗Ｒ１（Ｒ１’）のオープン破壊かに応じて警告灯５の点灯動作を異ならしめることができ、この点灯動作の違いにより、給電路２（１１）の断線か検出用抵抗Ｒ１（Ｒ１’）のオープン破壊かの判断ができる。
【００４２】
更に、制御部９が、検出部Ａにより通常の給電路２の断線が検出された場合の警告灯５の点灯制御に用いられると共に検出部Ｄにより検出用抵抗Ｒ１’のオープン破壊が検出された場合の警告灯５の点灯制御に兼用され、他の制御部１５が、検出部Ｂにより検出用抵抗Ｒ１のオープン破壊が検出された場合の警告灯５の点灯制御に用いられると共に検出部Ｃにより通常の給電路１１の断線が検出された場合の警告灯５の点灯制御に兼用されるため、部品点数が低減でき、装置１Ｂの小型化及びコスト低減に貢献できる。
【００４３】
更に、電源４から負荷Ｆ１に供給される負荷電流の供給をオンオフするスイッチＳＷ１と、電源４から他の負荷Ｆ２に供給される負荷電流の供給をオンオフする他のスイッチＳＷ２と備えるため、負荷Ｆ１に対する通常の給電路２の断線又は検出用抵抗Ｒ１のオープン破壊が有る場合は、スイッチＳＷ１のオン時に、それら断線又はオープン破壊に応じて制御部９又は他の制御部１５により異なる点灯動作で警告灯５が点灯制御され、他の負荷Ｆ２に対する通常の給電路１１の断線又は他の検出用抵抗Ｒ１’のオープン破壊が有る場合は、他のスイッチＳＷ２のオン時に、それら断線又はオープン破壊に応じて制御部９又は他の制御部１５により異なる点灯動作で警告灯５が点灯制御され、これにより、オン操作したスイッチＳＷ１，ＳＷ２及び警告灯５の点灯動作の違いの組み合わせにより、どの負荷Ｆ１，Ｆ２に対する給電路の断線か、どの検出用抵抗Ｒ１，Ｒ１’のオープン破壊かが判断できる。
【００４４】
【発明の効果】
請求項１に記載の発明によれば、第１の検出部により給電路の断線を検出できることはもちろんのこと、検出用抵抗での正常時の電圧降下に対する電圧降下の増加に応じて検出用抵抗でのオープン破壊を検出する第２の検出部を備えるため、第１の検出部により検出できない検出用抵抗でのオープン破壊を検出することができる。
【００４５】
また請求項１に記載の発明によれば、第１の検出部より断線が検出された場合は、警告灯が第１の制御部により所定の点灯動作で点灯制御され、第２の検出部によりオープン破壊が検出された場合は、警告灯が第２の制御部により他の所定の点灯動作で点灯制御されるため、給電路の断線か検出用抵抗のオープン破壊かに応じて警告灯の点灯動作を異ならしめることができ、これにより、給電路の断線か検出用抵抗のオープン破壊かの判断ができる。
【００４６】
また請求項１に記載の発明によれば、制御部が、第１の検出部により給電路の断線が検出された場合の警告灯の点灯制御に用いられると共に第４の検出部により他の検出用抵抗のオープン破壊が検出された場合の警告灯の点灯制御に兼用され、他の制御部が、第２の検出部により検出用抵抗のオープン破壊が検出された場合の警告灯の点灯制御に用いられると共に第３の検出部により他の給電路の断線が検出された場合の警告灯の点灯制御に兼用されるため、部品点数が低減でき、装置の小型化及びコスト低減に貢献できる。
【００４７】
また請求項１に記載の発明によれば、電源から負荷に供給される負荷電流の供給をオンオフするスイッチと、電源から他の負荷に供給される負荷電流の供給をオンオフする他のスイッチと備えるため、負荷に対する給電路の断線又は検出用抵抗のオープン破壊が有る場合は、スイッチのオン時に、それら断線又はオープン破壊に応じて制御部又は他の制御部により異なる点灯動作で警告灯が点灯制御され、他の負荷に対する他の給電路の断線又は他の検出用抵抗のオープン破壊が有る場合は、他のスイッチのオン時に、それら断線又はオープン破壊に応じて制御部又は他の制御部により異なる点灯動作で警告灯が点灯制御され、これにより、オン操作したスイッチ及び警告灯の点灯動作の違いの組み合わせにより、どの負荷に対する給電路の断線か、どの検出用抵抗のオープン破壊かが判断できる。
【図面の簡単な説明】
【図１】本発明の第１の実施の形態に係る断線検出装置の構成概略図である。
【図２】図１の断線検出装置の要部の回路図である。
【図３】本発明の第２の実施の形態に係る断線検出装置の構成概略図である。
【図４】図３の断線検出装置の要部の回路図である。
【図５】従来の断線検出装置の構成概略図である。
【図６】図５の断線検出装置の要部の回路図である。
【符号の説明】
１Ａ，１Ｂ  断線検出装置
３  判定部
４  電源
５  警告灯
７  駆動部
９  制御部
１３  他の判定部
１５  他の制御部
Ａ，Ｂ，Ｃ，Ｄ  検出部
ＳＷ  スイッチ
ＳＷ１  ストップスイッチ
ＳＷ２  ブレーキスイッチ
Ｆ  負荷
Ｆ１  ストップランプ
Ｆ２  テールランプ
Ｒ１，Ｒ１’  検出用抵抗
【図１】
0003997736.tif 000002
【図２】
0003997736.tif 000003
【図３】
0003997736.tif 000004
【図４】
0003997736.tif 000005
【図５】
0003997736.tif 000006
【図６】
0003997736.tif 000007